(57)【要約】【課題】これまでの一般民生用電気あんかにおいて、電熱を遠赤外線エネルギーに変換する割合が少ない点や、あんかの外形が人体と接する面積が広い形状のため、遠赤外線の特質である輻射による広範囲の加熱と寝具内のかびや腐敗菌に対する抑制効果を阻害している点、そしてあんか内部の熱源にまで空気が流入流出可能な流路を設けていないので、寝具内空気のかびや腐敗菌に対する殺菌効果の無い点が課題である。【解決手段】遠赤外線輻射物質３を充填させた半楕円体状の遠赤外線輻射体５の内部に熱源となる５ワット程度の白熱灯６を埋め込み、この遠赤外線輻射体に外部から熱源にまで通じる複数の空気流通のための流路７を設ける。【選択図】図１
2005253812.tif 000002
【特許請求の範囲】
【請求項１】
楕円体または半楕円体状の遠赤外線輻射体の内部に熱源となる電熱器または白熱灯を埋め込み、この遠赤外線輻射体に外部から熱源にまで通じる空気流通のための複数の流路を設けたことを特徴とする遠赤外線輻射電気あんか。
【発明の詳細な説明】
【技術分野】
【０００１】
本発明は、遠赤外線による輻射熱を主な加熱方式とする電気あんかに関するものである。
【背景技術】
【０００２】
一般民生用の電気あんかにおいて、人体を加熱する方式は、主として電気あんかから直接伝わる伝導熱である。このため、電気あんかの外形は人体に接する面積が大きくなるように設計され、特に平板形の電気あんかにおいては、身体をその上に横たえて密着させ、多くの熱量が人体に直接伝導されるような設計になっている。しかし伝導熱では、人体の表面だけが加熱され深部には熱が伝わりにくい欠点があった。
【０００３】
そのため、遠赤外線による輻射熱によって深部の加熱を図る遠赤外線電気あんかが考案された。従来の電気あんかの表面に遠赤外線輻射物質の粉を付着させて遠赤外線を発生させるものである。しかし付着させた遠赤外線発生物質の量が少なく、熱エネルギーの遠赤外線への変換は部分的なものであった。
【０００４】
このため、より多くの遠赤外線を発生させる電気あんかが考案されたが、それでも、従来の平板形電気あんかの上に遠赤外線輻射物質の層を乗せた構造をもち、身体をその上に横たえ密着させて使用するので、多くの熱量が人体に直接伝導されるような設計になっている。このような電気あんかは、局部の加熱には適するものの、あんかから離れた部位を直接加熱できるという遠赤外線のもつ輻射熱の性質を充分に利用しているとはいい難い。
【０００５】
遠赤外線には、かびや腐敗菌の生育を抑制する作用が有るが、この性質を充分に利用して寝具内の空気を清浄化する構造を持った電気あんかは存在しない。
【０００６】
寝具内の空気を直接高温になっている熱源に触れさせることで、寝具内空気に含まれるかびや腐敗菌を死滅させて寝具内空気の清浄化を図る電気あんかは存在しない。
【特許文献１】実開平２−１５１６５
【特許文献２】特開平１０−１５０５２
【非特許文献１】山崎敏子編  「遠赤外線療法の科学」人間と歴史社  昭和６２年６月３０日発行  ｐ２２
【発明の開示】
【発明が解決しようとする課題】
【０００７】
解決しようとする課題は、従来の電気あんかが、１として電熱を遠赤外線エネルギーに変換する割合が少ない点、２として人体と接する面積が広い外形のため、熱エネルギーの多くが伝導熱として人体に伝わり、局所的な表面だけが加熱され深部には熱が伝わりにくい点、３として人体と接する面積が広い外形のため、遠赤外線の特質である輻射による広範囲の加熱作用と、寝具に対する広範囲の消臭作用を阻害している点、４としてあんか内部の熱源にまで空気が流入流出可能な流路を設けていないため、寝具内空気のかびや腐敗菌に対する殺菌効果が無い点である。
【課題を解決するための手段】
【０００８】
本発明は、上記課題を解決するためになされたものであり、楕円体または半楕円体状の遠赤外線輻射体の内部に熱源となる電熱器または白熱灯を埋め込み、この遠赤外線輻射体に外部から熱源にまで通じる空気流通のための複数の流路を設けたことを特徴とする。本発明における遠赤外線輻射体としては、図１に示すように金網やセラミックス製の外殻に遠赤外線輻射物質を充填させた半楕円体のものであってもいいし、図２で示すように全体が楕円体の遠赤外線輻射物質製であってもよい。本発明でいう遠赤外線輻射物質とは、例えば花崗岩や木炭・竹炭、トルマリン石、あるいはセラミックス等である。遠赤外線輻射体の外形としては、円柱や直方体の角に丸みをつけたような形、あるいは楕円体や半楕円体状のいずれであってもよい。
【発明の効果】
【０００９】
本発明は、楕円体または半楕円体状の電気あんかであるために皮膚と密着しないので、本発明を使用する人は、接している部位が適度に温かいばかりでなく、本発明と離れた部位でも柔らかな輻射熱を感じる。特徴的なことは、皮膚表面の知覚的な温かさではなく、内部からの柔らかな温かさである。本発明は５ワットという低電力であるにもかかわらず、使用を始めた後、これまでの電気あんかや電気毛布の使用を止めた人もいる。この温かさは遠赤外線に特有の深達力と共鳴吸収の作用によるものと考えられ、この効果は寝具から出て日常の活動をしている間も続くので、人体の細胞レベルでの代謝が活性化したことがわかる。数週間使用した結果は、就寝中の心地よい温かさが得られるばかりではなく、慢性の気管支炎や生理痛、加齢によって起こる猫背の進行を原因とする背部の痛み、不眠や冷え性、便秘などに、改善の効果がみられた。これらの効果はこれまでの電気あんかでは期待できないので、本発明の特筆すべき利点である。また、健康な子供や遠赤外線の充分に足りている人にあっては、本発明は温か過ぎて不快になり、就寝中に寝具の外に押し出されるので、特別な悪作用は起こらない。寝具内の空気のかびや腐敗菌の生育を抑制して不快な臭いを減少させる作用に関しても、感覚テストで、ほぼ満足できる効果が得られた。本発明には、就寝中に充分な遠赤外線を人体と寝具に照射できるばかりではなく、あんか内部に設けた複数の流路を空気が流入流出するために、寝具内空気に含まれるかびや腐敗菌が高温の熱源に触れて死滅し、寝具内空気の清浄化がはかれる。同時に流入流出する空気が遠赤外線輻射体を冷却して、あんかの過熱を防止することができる。本発明には、以上のような利点がある。
【発明を実施するための最良の形態】
【００１０】
金網製のザル、もしくは空気流通のための小穴の多数あいた楕円体または半楕円体状のセラミックス製の外殻に、小指大の遠赤外線輻射物質を多数充填させて遠赤外線輻射体とする。この内部に熱源となる５ワット程度の電熱器または白熱灯を埋め込む。あるいは、熱源直近まで厚みのある遠赤外線輻射物質製で楕円体または半楕円体状の塊を遠赤外線輻射体とし、この内部に熱源となる５ワット程度の電熱器または白熱灯を埋め込む。これらの遠赤外線輻射体の外部と熱源との間には、空気流通のための複数の流路を貫通させておき、電熱によって遠赤外線輻射体を持続的に加熱して遠赤外線を発生させ、遠赤外線輻射電気あんかとして利用する。
【実施例】
【００１１】
以下、本発明の実施例１を図１によって説明する。木製ドーナツ状の円板１（直径１２０ミリ厚さ２０ミリ、内部の穴の直径３０ミリ）に、外殻として台所用品の味噌などを漉すステンレス製の深いザル２（直径１１０ミリ高さ１００ミリ）を固定し、これに遠赤外線輻射物質として（株）アムロン製の遠赤外線セラミックス３（直径１２ミリ長さ２０ミリ）を約８００グラム入れ、さらに茶筒状の金網４（直径３０ミリ高さ５０ミリ）を押し込んで、ドーナツ状の穴の内側に固定する。電気あんかには身体の重さが加わる場合があるので、白熱灯を保護する目的である。これら１から４までを遠赤外線輻射体とする。ついで、ドーナツ状の穴から熱源の常夜灯として使用する５ワットの白熱灯６を入れ、固定する。白熱灯と保護金網との隙間は約５ミリである。７は遠赤外線輻射体の外部と熱源部との間にできた空気流通のための複数の流路を示し、８は電源コードである。ステンレス製のザルと白熱灯を保護する金網は、説明の便宜上一部だけを図示した。
【００１２】
以下、本発明の別の実施例２を図２によって説明する。この実施例は、ちょうど瓜を縦に割ったような形の粘土を焼成し、内部に熱源を埋め込んで作る。遠赤外線輻射体を作るセラミック材料（粘土）を楕円体１（短軸１２０ミリ、長軸１８０ミリ）に成形して縦に真二つに切る。分かれた二枚各々の中心部にかまぼこ状の穴２（直径３０ミリ長さ７０ミリ）と、この穴から外に通じる電源コードを通す穴６を作る。二枚は全く同じ形に成形しておく。遠赤外線輻射体の外部とかまぼこ状にくりぬいた穴の部分とを、直径３ミリの穴で貫通し、完成後の空気の流路３を作る。貫通させる流路の数は、外側表面２センチ平方につき１本程度でいい。このよう成形した粘土を焼成して二枚向かい合わせ、くりぬいておいた穴で形成される空間に白熱灯４と電源コード５を埋め込む。二枚の遠赤外線輻射体は、ボルトナットでつないで組み立てる。ボルトを通す穴は、焼成前に開けておく。説明の便宜上、点線は遠赤外線輻射体の内部の流路を示し、実線は断面に現れた流路を示す。煩瑣を避けるため、ボルトナットと流路の数は省略してある。
【産業上の利用可能性】
【００１３】
本発明は、遠赤外線を発生させ、直接に人体と寝具内を照射するあんかであり、いわば日当たりの良い土地や居室の心地良さを、寝具内で人工的に再現しようというものである。人間に限らず、地球上の全ての生物は、太陽光線の下で生を営んできた。太陽光線には、様々な波長が含まれるが、その中で赤外線の占める割合は８０％。赤外線の中でもっとも生物に恩恵をもたらすとされる波長１０〜２０ミクロンの遠赤外線が占める割合は全赤外線の約８０％。すなわち太陽エネルギーの６０％以上が、この波長帯の遠赤外線として、我々の生命を育んでいる。遠赤外線には腸内細菌や各種酵素、あるいは正常細胞を活性化する一方、ガン細胞を衰退させる性質のあることがわかっている。かつて人類は一日の日照時間、つまりほとんど十時間以上の長時間にわたって、太陽光に含まれる遠赤外線エネルギーの恩恵をうけていた。しかし、遠赤外線は視覚でとらえられることもなく特別な灼熱感もないために、人間の意識にのぼりにくい。その結果、蛍光灯などの可視光線に偏った人工照明下で長時間生活する現代人のなかには、遠赤外線の不足状態にあっても、無自覚のままに生活して体調をこわし、身心ともに不快な状態で生活している人が多い。その顕著な例が、カナダや北欧など日照の少ない地域で問題になっている冬季うつ病であると考えられる。さらには、低血圧症や神経痛その他多くの慢性疾患が、遠赤外線サウナ等の遠赤外線療法で改善するところをみれば、それらの疾患の裏に遠赤外線不足が自覚されないままに潜んでいることがわかる。かつての石ぶろ、穴ぶろ、かまぶろなどは、遠赤外線不足への古人の対策だったと考えられる。本発明は、寝具内で就寝中に使用するので、５ワットという低エネルギーで長時間という、かつて人類が自然の状態で受けていた太陽エネルギーの取り入れ方に近い形で、遠赤外線のエネルギーを取り入れることができる。また、過密した都市の住環境では、日当りが悪く、寝具を干すこともままならない人も多い。共働きの家族でも同様である。本発明を就寝時以外にも使用していれば、充分とはいかないまでも、寝具の乾燥や消臭に寄与できる。
【図面の簡単な説明】
【００１４】
【図１】本発明の実施例１を示す説明図である。
【図２】本発明の別の実施例２を示す説明図である。
【符号の説明】
【００１５】
１    木製のドーナツ状円板
２    ステンレス製のザル
３    多数の遠赤外線セラミックスの集合体
４    白熱灯を保護する金網
５    1〜4による遠赤外線輻射体
６    白熱灯
７    遠赤外線輻射体の外部と熱源部との間にできた空気流通のための複数の流路
８    電源コード
【００１６】
１    遠赤外線輻射体
２    白熱灯を埋め込む空間
３    空気流通のための複数の流路
４    白熱灯
５    電源コード
６    電源コードを通す穴
【図１】
2005253812.tif 000003
【図２】
2005253812.tif 000004